(57)【特許請求の範囲】
【請求項１】
接続手段を用いて接続される水平方向の第１のフレーム要素（３）と鉛直方向の第２のフレーム要素（２）とから成り、第１のフレーム要素（３）に接続手段として設けられた複数の舌状突部（２８、３０、３２、３４）が第２のフレーム要素（２）のスロット（３７、３８、３９、４０）に差し込まれるドアフレームであって、
第１のフレーム要素（３）の各舌状突部（２８、３０、３２、３４）が、追加要素（４５）の舌状突部（４７、４９、５０、５１）が嵌合されるスロット（２９、３１、３３、３５）を有しており、
追加要素（４５）は、板状であって、舌状突部（４７、４９、５０、５１）を備えた開口部（４６、４８）を有しており、
第１のフレーム要素（３）を第２のフレーム要素（２）に差し込んだ後、板状の追加要素（４５）を第２のフレーム要素端部において第１のフレーム要素（３）の舌状突部（２８、３０、３２、３４）に対して押圧してから下方に移動させることにより、この追加要素の舌状突部（４７、４９、５０、５１）が、第１のフレーム要素（３）の舌状突部（２８、３０、３２、３４）のスロット（２９、３１、３３、３５）内に保持されることを特徴とするドアフレーム。
【請求項２】
板状の追加要素（４５）は、第２のフレーム要素（２）の開口部（４２）を通して曲げることにより第２のフレーム要素（２）を掛合する変形可能な別の舌状突部（４４）を備えていることを特徴とする請求項１に記載のドアフレーム。
【請求項３】
板状の追加要素（４５）の舌状突部（４７、４９、５０、５１）または別の舌状突部（４４）の幅または厚さあるいはその両方が、前記舌状突部の自由端部に向かって減少していることを特徴とする請求項１または２に記載のドアフレーム。
【発明の詳細な説明】
【０００１】
【発明の属する技術分野】
本発明は、接続手段を用いて接続可能なフレーム要素から成るドアフレームに関する。
【０００２】
【従来の技術】
接続ブラケットを用いて着脱可能に接続されるドア用フレーム要素が、特許明細書ＷＯ９５／３２９１２に開示されている。ドアポスト２本およびトランサム(transom)要素で、ドアフレームが形成される。Ｌ字形状の接続ブラケットの長尺リム(long limb)には孔があり、短尺リム(short limb)には延長スロット(elongate slot)がある。接続ブラケットの長尺リムは、別の接続ブラケットにネジで接続され、この別の接続ブラケットはドアポストに接続されて、ドアポスト(door post)の剛性を高める。トランサム要素にはドアドライブが配設されており、トランサム要素は、接続ブラケットの長尺リムおよび短尺リムにネジで接続される。延長スロットを備えた別の接続ブラケットは、フレーム構造を壁に固定する手段となり、短尺リムにネジ止めされる。
【０００３】
【発明が解決しようとする課題】
製造コストが高く、組み立てが面倒な接続ブラケットが、フレーム要素の接続に必要なこと、また、接続手段となるネジやナットが緩み、そのため、例えばエレベータ用ドアのフレームなどの場合に重大な結果を招くことが前記ドアフレームの問題点である。
【０００４】
【課題を解決するための手段】
本発明は、前記の問題点を解消するものである。本発明は、接続手段によって接続可能なフレーム要素１、２、３から成るドアフレームであって、前記接続手段が前記フレーム要素１、２、３の構成要素であることを特徴とするドアフレームであり、前記既知のドアフレームの問題点を解決するという目的を満たすとともに、一旦接続すると分離不可能となる差し込み可能なフレーム要素を備えたドアフレームを提供するものである。
【０００５】
本発明の主な特徴は、溶接、ネジ止め、リベット止めなど、コストのかかる組み立て作業が不必要であり、したがって、組み立てコストを実質的に節減できる点にある。また、固定金具を備えた一体型のフレーム要素を機械的に製造できるため、本発明によるドアフレームは、従来の接続手段に必要である組み立てゲージを使用しなくても正確に組み立てることができる。接続方法が単純であることから、本発明のドアフレームは軽量であり、分解して輸送した後、現場で組み立てることができる。
【０００６】
以下、一実施の形態についてのみ図示した図面を参照して、本発明につき詳細に説明する。
【０００７】
【発明の実施の形態】
図１から図１１に、フレーム要素四つから成るドアフレームを示す。図において、底部の敷居要素(threshold element)１、各側それぞれ一つずつのドアポスト２、および上部のまぐさ要素(lintel element)３が、フレーム要素として設けられ、ドアポスト２は、敷居要素１の上に立ち、まぐさ要素３は、ドアポスト２の間に配設されている。
【０００８】
図１から図４において、敷居要素１は、基部４、第１の長手方向側部６の第１のカラー（ｃｏｌｌａｒ）５、および第２の長手方向側部８の第２のカラー７を備え、Ｕ字形の断面形状をしている。ドアポスト２は、Ｌ字形状であって、第１のリム９の位置に第３のカラー１０を備え、また第２のリム１１の位置に第４のカラー１２を備えている。敷居要素１、ドアポスト２、およびまぐさ要素３にある組み立てに必要な開口部であるリセスには、参照番号１３を付してある。第１のトング（ｔｏｎｇｕｅ）すなわち舌状突部１４は、ドアポスト２の第３のカラー１０に配設され、第２のトング１５は、ドアポスト２の第２のリム１１に配設されている。第１のリム９および第２のリム１１によって形成される、ドアポスト２のコーナには、敷居要素１の第１の長手方向側部６の高さに切り込み１６が設けられている。敷居要素１の基部４には、第１のスロット１７があり、第２のカラー７には、第２のスロット１８がある。第１の長手方向側部６の第１のカラー５は、ドアポスト２の第１のリム９の幅に相当するだけ切り取られている。
【０００９】
組み立て時に、第１のトング１４を第１のスロット１７に差し込み、第２のトング１５を第２のスロット１８に差し込むと、ドアポスト２の第１のリム９は、第１のカラー５の切り込み領域で、敷居要素１の長手方向側部６の裏側と係合する。次に図３および図４に示すように第１のトング１４と第２のトング１５とを変形させ、これにより敷居要素１は、ドアポスト２と機械的に確実にかつ分離不可能に接続される。
【００１０】
図５および図６に、敷居要素１とドアポスト２との別の接続例を示す。第１のリム９は、第１のダブルトング(double tongue)１９を備え、ドアポスト２の第２のリム１１は、第２のダブルトング２０を備えている。第１のダブルトング１９に嵌合する第１のリセス(recess)２１は、敷居要素１の第１の長手方向側部６に配設されている。敷居要素１の基部４から打ち抜かれた第１のブラケット(bracket)２２は、第２のダブルトング２０に嵌合する第２のリセス２３を備えている。組み立て時、図６に示すようにダブルトング１９および２０をリセス２１および２３に差し込んで変形させると、敷居要素１は、ドアポスト２と機械的に確実にかつ分離不可能に接続される。
【００１１】
敷居要素１とドアポスト２とのさらに別の接続例では、図１から図４の接続例を、図５および図６の接続例と組み合わせている。
【００１２】
図７から図９に、ドアポスト２をまぐさ要素３と接続する実施の形態を示す。Ｕ字形状のまぐさ要素３は、第３のカラー２５を備えた第３の長手方向側部２４と、第４のカラー２７を備えた第４の長手方向側部２６を有している。第３の長手方向側部２４の端部には、第３のスロット２９を備えた第３のトング２８と、第４のスロット３１を備えた第４のトング３０とがある。また、第４の長手方向側部２６の端部には、第５のスロット３３を備えた第５のトング３２と、第６のスロット３５を備えた第６のトング３４とがある。そして、第４のカラー２７の端部には、第７のトング３６がある。
【００１３】
ドアポスト２のまぐさ側端部には、第７のスロット３７、第８のスロット３８、第９のスロット３９、第１０のスロット４０、および第１１のスロット４１があり、この端部で第７のスロット３７は第３のトング２８に嵌合し、第８のスロット３８は第４のトング３０に嵌合し、第９のスロット３９は第５のトング３２に嵌合し、第１０のスロット４０は第６のトング３４に嵌合し、第１１のスロット４１は第７のトング３６に嵌合する。
【００１４】
追加要素４５の第８のトング４４を備えた第４のリセス４３に嵌合する第３のリセス４２は、ドアポスト２の位置に配設されている。第９のトング４７を備えた第５のリセス４６、第１０のトング４９を備えた第６のリセス４８、第１１のトング５０、および第１２のトング５１は、追加要素４５に配設され、ここで前記のトングおよびスロットは、まぐさ要素３のトングおよびスロットに嵌合する。
【００１５】
組み立て時、まぐさ要素３のトングをドアポスト２のスロットに差し込み、追加要素４５をドアポスト端部でまぐさ要素３のトングに対して押圧する。図８および図９に示すように、まぐさ要素３のトングは、ドアポスト２のスロット３７、３８、３９、および４０から突出する。次に、追加要素４５を下方に移動すると、追加要素４５のトング４７、４９、５０、および５１は、まぐさ要素３のスロット２９、３１、３３、および３５に嵌合する。第８のトング４４が、ドアポスト２の第３のリセス４２の内部に曲がり込むため、このトングにより、追加要素４５の上方への動きが防止される。第７のトング３６は、ドアポスト端部で変形させる。ドアポスト２とまぐさ要素３との差し込み式接続は、機械的に確実であり、分離不可能である。
【００１６】
図１０は、追加要素４５のトング５０を示す図である。トング５０の幅は、その自由端部に向かって減少する。すなわち、トング５０は、わずかに楔形状になっている。打抜き工具を用いて平らにすることにより、図１１に示すごとく、厚さがわずかに楔形状になるようにトング５０の自由端部を成形することも可能である。追加要素４５のその他のトング４４、４７、４９、および５１は、トング５０と同様に作られている。トング４４、４７、４９、５０、および５１は、幅または厚さあるいはその両方が楔形状になっているため、スロット２９、３１、２２、３５、および４２に容易に差し込むことができる。楔形状のトング４４、４７、４９、５０、および５１については、製造公差の補償が可能である。
【図面の簡単な説明】
【図１】接続する二つのフレーム要素を示す図である。
【図２】相互に接続した図１の二つのフレーム要素を示す図である。
【図３】図２の接続したフレーム要素の詳細を示す図である。
【図４】図２の接続したフレーム要素の詳細を示す図である。
【図５】接続するフレーム要素の実施の形態の変形例を示す図である。
【図６】相互に接続した図５の二つのフレーム要素を示す図である。
【図７】接続するフレーム要素の実施の形態の別の変形例を示す図である。
【図８】さらに別の要素と接続した図７の二つのフレーム要素を示す図である。
【図９】図８の別の要素により固定した二つのフレーム要素を示す図である。
【図１０】別の要素のトングの平面図である。
【図１１】図１０のトングの側面図である。
【符号の説明】
１  敷居要素
２  ドアポスト
３  まぐさ要素
２１、２３、４２  リセス
２８、３０、３２、３４、４４、４７、４９、５０、５１  トング
２９、３１、３３、３５、３７、３８、３９、４０  スロット
４５  追加要素
【図１】
0004198768.tif 000002
【図２】
0004198768.tif 000003
【図３】
0004198768.tif 000004
【図４】
0004198768.tif 000005
【図５】
0004198768.tif 000006
【図６】
0004198768.tif 000007
【図７】
0004198768.tif 000008
【図８】
0004198768.tif 000009
【図９】
0004198768.tif 000010
【図１０】
0004198768.tif 000011
【図１１】
0004198768.tif 000012